(57)【要約】【課題】  スピーカボックス内にスピーカユニットを備え、入力されたオーディオ信号を出力するスピーカ装置において、スピーカ装置の前方の外観を変化させることなく、放射する音波の周波数特性を簡単に変化させることができるスピーカ装置を提供する。【解決手段】  スピーカボックスは下面に貫通孔を形成し、スピーカボックスを載置するスタンドと、上下に開口する筒型を成し貫通孔に挿入される第１のダクトと、スタンドの内部に配設され上方に開口する筒型を成し下部に前方へ開口する孔部を備え第１のダクトを上下方向へスライド可能に保持する第２のダクトと、前後に開口する筒型を成し後端が第２のダクトの孔部に固定され前端がスタンドの前面に露出する第３のダクトと、第１のダクトが貫通孔から離れた位置から貫通孔に挿入されスピーカボックスの内部に突出する位置まで第１のダクトを上下方向へスライドさせるスライド手段とを備える。【選択図】      図１
2006013772.tif 000002
【特許請求の範囲】
【請求項１】
スピーカボックス内にスピーカユニットを備え入力されたオーディオ信号を出力するスピーカ装置において、
前記スピーカボックスは下面に貫通孔を形成し、前記スピーカボックスを載置するスタンドと、上下に開口する筒型を成し前記貫通孔に挿入される第１のダクトと、前記スタンドの内部に配設され上方に開口する筒型を成し下部に前方へ開口する孔部を備え前記第１のダクトを上下方向へスライド可能に保持する第２のダクトと、前後に開口する筒型を成し後端が前記第２のダクトの前記孔部に固定され前端が前記スタンドの前面に露出する第３のダクトと、前記第１のダクトが前記貫通孔から離れた位置から前記第１のダクトが前記貫通孔に挿入され前記スピーカボックスの内部に突出する位置まで前記第１のダクトを上下方向へスライドさせるスライド手段とを備えることを特徴とするスピーカ装置。
【請求項２】
請求項１記載のスピーカ装置において、
前記第１のダクトと略同一外径を有する円盤型を成し前記第１のダクトの上方の開口を塞ぐ着脱可能な蓋部を備えることを特徴とするスピーカ装置。
【発明の詳細な説明】
【技術分野】
【０００１】
本発明は、スピーカボックス内にスピーカユニットを備え入力したオーディオ信号を出力するスピーカ装置に関する。
【背景技術】
【０００２】
従来、スピーカボックス内にスピーカユニットを備え、オーディオ信号再生装置等の機器から入力されたオーディオ信号を出力するスピーカ装置が知られている。
【０００３】
図８は、従来のスピーカ装置の一例を示す斜視図である。
図９は、従来のスピーカ装置１００を示す断面図である。
スピーカ装置１００は、スピーカユニット２、ダクト４、入力端子６、導電ケーブル７及びスピーカボックス３００を備える。スピーカボックス３００は、木材から成る箱型を形成し、前面に開口する孔３０１及び孔３０２を備える。スピーカユニット２は、図示しない金具等から成る固定部材により、スピーカボックス３００の孔３０１の位置に固定される。ダクト４は、前後に開口する筒型を成す。ダクト４の前端は、図示しない金具等から成る固定部材により、スピーカボックス３００の孔３０２の位置に固定される。
【０００４】
入力端子６は、スピーカボックス３００の裏面に固定され、増幅装置と接続される。増幅装置は、ＣＤ（Compact Disk）再生装置等のオーディオ信号再生装置と接続し、入力端子６にオーディオ信号を入力する。導電ケーブル７は、入力端子６とスピーカユニット２に接続され、入力端子６から入力されたオーディオ信号をスピーカユニット２へ入力する。スピーカユニット２は、入力されたオーディオ信号を音波として出力する。
【０００５】
スピーカユニット２は、ダイナミック型スピーカ（Dynamic type speaker）から成り、図示しないマグネット、ボイスコイル及びコーン振動板を備える。スピーカユニット２は、オーディオ信号が入力されると、マグネットとボイスコイルによりコーン振動板を振動させ、音波を放射する。スピーカユニット２の裏面から放射された音波は、スピーカボックス３００の内部で反射する。ダクト４は、スピーカボックス３００の内部で反射した音波を前方へ放射する。
【０００６】
以上により、スピーカ装置１００は、入力端子６から入力されたオーディオ信号を音波として放射する。
【０００７】
スピーカユニット２のコーン振動板の後方から放射される音波は、コーン振動板の前方から放射された音波の逆位相となる。このため、例えば、スピーカボックス３へスピーカユニット２を固定しないで取り付けられた状態で、スピーカユニット２から音波を放射した場合、コーン振動板の前方から放射される正位相の音波とコーン振動板の後方から放射される逆位相の音波が互いに干渉し、低域の周波数帯域の音波が減少してしまう。スピーカ装置１００は、スピーカユニット２をスピーカボックス３へ固定して取り付けることにより、コーン振動板の後方から放射される逆位相の音波がコーン振動板の前方から放射される音波と干渉するのを防止する。また、スピーカ装置１００は、コーン振動板の後方から放射された低域の周波数帯域の音波がスピーカボックス内部で共振し、この共振した音波がスピーカボックスを振動させることによって、スピーカ装置１００から放射される音波の低域の周波数帯域を増大させることができる。このようなスピーカ装置１００が放射する音波の周波数特性は、スピーカボックス内部の容量が大きくなるのに伴い、低域の周波数帯域が増大された周波数特性となる。
【０００８】
また、スピーカ装置１００は、スピーカユニット２の後面から放射された音波をスピーカボックス３００の内部で反射させることにより、この音波の位相を反転させ、この位相を反転させた音波をダクト４からスピーカ装置１００の前方へ放射させる。このことにより、コーン振動板の前方から放射される音波と同じ位相の音波をダクト４からスピーカ装置１００の前方へ放射することによって、スピーカボックス内部の容量が小さい小型なスピーカ装置であっても放射させた音波の低域の周波数帯域を増大させことができる。このようなスピーカ装置１００から放射される音波の周波数特性は、スピーカボックス３００の内部で反射された音波を前方へ放射するダクト４の長さや内径によって変化する。
【０００９】
スピーカボックス内部の容量が小さい小型なスピーカ装置であっても低域の周波数帯域を増大することが可能なスピーカ装置として、スピーカ装置を載置するスピーカスタンドの内部をダクトとして利用するスピーカ装置が知られている（例えば、特許文献１参照。）。このように、スピーカボックスの容量が小さい場合であっても、スピーカボックスの内部からスピーカスタンドの下方まで延びたダクトを備えることによって、低域の周波数帯域が増大された周波数特性の音波を出力することが可能なスピーカ装置とすることができる。
【００１０】
【特許文献１】特開２０００−１６５９７３号公報
【発明の開示】
【発明が解決しようとする課題】
【００１１】
オーディオ信号再生装置により再生した音楽を従来のスピーカ装置により聴取しようとする場合、聴取者は、スピーカ装置から放射される音楽の周波数特性を好みの周波数特性に変化させたい場合がある。この場合、ダクトの内側に他の部材を挿入したり、ダクトを前方から塞いだりすることによって、放射される音楽の周波数特性を変化させる。
【００１２】
しかしながら、ダクトの前方から他の部材を挿入したり、ダクトを塞いでしまうと、前方からダクトに挿入した部材が露出してしまい、スピーカ装置の外観が損なわれる。また、ダクトに他の部材を挿入した後、例えば、聴取者がスピーカ装置１００が放射する音楽の周波数特性を元の周波数特性に戻したいと希望した場合、他の部材をダクトから取り出す作業に手間が掛かってしまう。また、ダクトの前方から他の部材をスピーカボックス３の奥まで挿入してしまった場合、スピーカボックス３から他の部材を取り出せなくなってしまい、スピーカ装置１００が放射する音楽の周波数特性を元の周波数特性に戻すことができなくなる虞がある。
【００１３】
このように、従来のスピーカ装置１００は、放射する音楽の周波数特性を聴取者が希望する周波数特性へ簡単に変化させることが困難であった。
【００１４】
本発明は、スピーカボックス内にスピーカユニットを備え、入力されたオーディオ信号を出力するスピーカ装置において、スピーカ装置の前方の外観を変化させることなく、放射する音波の周波数特性を簡単に変化させることができるスピーカ装置を提供することを目的として為された。
【課題を解決するための手段】
【００１５】
本願の請求項１記載の発明は、スピーカボックス内にスピーカユニットを備え入力されたオーディオ信号を出力するスピーカ装置において、前記スピーカボックスは下面に貫通孔を形成し、前記スピーカボックスを載置するスタンドと、上下に開口する筒型を成し前記貫通孔に挿入される第１のダクトと、前記スタンドの内部に配設され上方に開口する筒型を成し下部に前方へ開口する孔部を備え前記第１のダクトを上下方向へスライド可能に保持する第２のダクトと、前後に開口する筒型を成し後端が前記第２のダクトの前記孔部に固定され前端が前記スタンドの前面に露出する第３のダクトと、前記第１のダクトが前記貫通孔から離れた位置から前記第１のダクトが前記貫通孔に挿入され前記スピーカボックスの内部に突出する位置まで前記第１のダクトを上下方向へスライドさせるスライド手段とを備えることを特徴とする。
【００１６】
本願の請求項２記載の発明は、請求項１記載のスピーカ装置において、前記第１のダクトと略同一外径を有する円盤型を成し前記第１のダクトの上方の開口を塞ぐ着脱可能な蓋部を備えることを特徴とする。
【発明の効果】
【００１７】
本発明のスピーカ装置によれば、スピーカボックス内にスピーカユニットを備え、入力されたオーディオ信号を出力するスピーカ装置において、スピーカ装置の前方の外観を変化させることなく、放射する音波の周波数特性を簡単に変化させることができるスピーカ装置を提供することができる。
【発明を実施するための最良の形態】
【００１８】
本発明の実施の形態を図面を参照して説明する。なお、従来技術で示した構成要素と同一の部分については同符号を用いる。
【００１９】
図１は、本発明のスピーカ装置の構成を示す斜視図である。
スピーカ装置１は、スピーカユニット２、スピーカボックス３、入力端子６、導電ケーブル７、第１のダクト８、第２のダクト９、第３のダクト１０、蓋部１５及びスタンド部２０を備える。
【００２０】
スピーカボックス３は、木材から成り、箱型の形状をしている。スピーカボックス３は、前面に開口する孔３０１を備え、下面に開口する孔３０３を備える。スピーカユニット２の外周は、図示しない金具等から成る固定部材により、スピーカボックス３の孔３０１の位置に固定される。
【００２１】
スタンド部２０は、細長い箱型を形成し、上部の外周の位置に上面が平面を成す腕部２０３を備える。スピーカボックス３は、腕部２０３に取り外し自在に載置される。スタンド部２０の下部には外周がスタンド部２０より大きい底面部２０２を備え、腕部２０３にスピーカボックス３が載置されている状態でスタンド部２０が転倒しないようになっている。
【００２２】
図２は、本実施例のスピーカ装置１を示す断面図である。
スタンド部２０は、上面の略中央の位置に上方へ開口する孔２０１を備える。第２のダクト９は、上方に開口する筒型を成し、下部に前方へ開口する孔９０１を備える。第２のダクト９の上部は、図示しない金具から成る固定部材により、スタンド部２０の孔２０１の位置に固定される。第３のダクト１０は、前後に開口する筒型を成す。第３のダクト１０の後端は、第２のダクト９の孔９０１の位置に固定され、前端はスタンド部２０の前面に露出する。第１のダクト８は、上下に開口する筒型を成す。第１のダクト８の外径は第２のダクト９の内径より僅かに小さい。第１のダクト８は、第２のダクト９に挿入することによって、第２のダクト９の内部を上下方向に自在にスライドする。
【００２３】
スピーカ装置１は、操作により第１のダクト８を希望する位置にスライドさせるスライド部１１を備える。スライド部１１は、ローラ１２及び保持部１３を備える。保持部１３の下部は、第２のダクト９の上部に図示しない固定部材により固定されている。ローラ１２は、ゴム部材から成り、円柱型の形状である。ローラ１２は軸１２１を備え、保持部１３の上部に備える軸受け１３１に軸１２１が軸支されることにより、自在に回転する。ローラ１２の外周は、第１のダクト８の外周に圧接するよう配設され、ローラ１２を回転させることによって、第１のダクト８が上方向または下方向にスライドする。
【００２４】
第１のダクト８の外径は、孔３０３の内径より僅かに小さい。第１のダクト８は、孔３０３の下方に位置する。
蓋部１５は、断面がＴ字の円盤型を成し、第１のダクト８に上方から挿入することによって第１のダクト８の上部の開口を塞ぐ。蓋部１５の外径は第１のダクト８の外径と略同一とする。
【００２５】
スピーカ装置１は、他のオーディオ信号再生装置からオーディオ信号が入力端子６に入力されると、入力されたオーディオ信号を導電ケーブル７を介してスピーカユニット２へ入力する。
【００２６】
スピーカユニット２は、ダイナミック型スピーカから成り、図示しないマグネット、ボイスコイル及びコーン振動板を備える。スピーカユニット２は、オーディオ信号が入力されると、マグネットとボイスコイルによりコーン振動板を振動させ、音波を放射する。スピーカユニット２から放射された音波は、スピーカボックス３の内部で反射する。孔３０３は、スピーカボックス３の内部で反射した音波をスピーカボックス３の外部へ放射する。
【００２７】
以上により、スピーカ装置１は、入力端子６から入力されたオーディオ信号を音波として放射する。
【００２８】
図３は、第１のダクト８の上端が孔３０３の位置と略同一となるように第１のダクト８をスライドした状態でスピーカ装置１が音波を放射している状態を示す断面図である。
【００２９】
図３に示すように、第１のダクト８に蓋部１５を装着しないで、ローラ１２を回転させ、第１のダクト８の上端と孔３０３が略同一となるように第１のダクト８をスライドさせた状態でスピーカユニット２が音波を放射すると、スピーカボックス３の内部で反射した音波は、第１のダクト８及び第２のダクト９を介して第３のダクト１０からスピーカ装置１の前方へ放射される。
【００３０】
図４は、図３の状態から更に第１のダクト８を上方へスライドさせた状態でスピーカ装置１が音波を放射している状態を示す断面図である。
【００３１】
図４に示すように、図３に示す状態から更にローラ１２を回転させ、第１のダクト８がスピーカボックス３の内部に突出するように第１のダクト８をスライドし、この状態でスピーカユニット２が音波を放射すると、スピーカボックス３の内部で反射した音波は、第１のダクト８及び第２のダクト９を介して第３のダクト１０からスピーカ装置１の前方へ放射される。このとき、第１のダクト８の上端から第３のダクト１０の前端までの長さは、図３に示すような第１のダクト８の上端と孔３０３が略同一の位置となるようにしたときより長くなる。第１のダクト８の上端から第３のダクト１０の前端までの長さが変化することにより、スピーカ装置１が放射する音波の周波数特性は変化する。
【００３２】
図５は、第１のダクト８の上端に蓋部１５を装着した状態を示す断面図である。
蓋部１５を第１のダクト８に装着する場合は、先ず、ローラ１２を回転させることによって第１のダクト８を下方へスライドさせて第１のダクト８をスピーカボックス３から離した位置にする。次に、第１のダクト８の上端に蓋部１５を装着する。
【００３３】
図６は、図５に示す状態からローラ１２により第１のダクト８を上方へスライドさせ、第１のダクト８に装着した蓋部１５と孔３０３が略同一の位置となるようにした状態でスピーカ装置１が音波を放射している状態を示す断面図である。
【００３４】
図６に示すように、第１のダクト８に蓋部１５を装着し、ローラ１２を回転させ、第１のダクト８の上端に装着した蓋部１５と孔３０３が略同一の位置となるように第１のダクト８をスライドさせる。このとき、蓋部１５は、孔３０３を塞いだ状態となる。この状態でスピーカ装置１が音波を放射すると、蓋部１５によってスピーカボックス３の内部で反射した音波が外部に放射されるのを防ぐ。スピーカボックス３の内部で反射した音波がスピーカボックス３の外部へ放射されなくなることによって、スピーカ装置１が放射する音波の周波数特性は変化する。
【００３５】
図７は、図６に示す状態から更に第１のダクト８を上方へスライドさせた状態でスピーカ装置１が音波を放射している状態を示す断面図である。
【００３６】
図７に示すように、図６に示す状態から更にローラ１２を回転させ、蓋部１５及び第１のダクト８がスピーカボックス３の内部に突出した状態となるように第１のダクト８をスライドさせる。このとき、蓋部１５により上方の開口が塞がれた第１のダクト８がスピーカボックス３の内部に突出することから、スピーカボックス３の容量は、図６に示すような蓋部１５及び第１のダクト８がスピーカボックス３の内部に突出していない場合より小さくなる。スピーカユニット２から放射された音波が反射するスピーカボックス３の内部の容量が小さくなることによって、スピーカ装置１が放射する音波の周波数特性は変化する。
【００３７】
以上の構成により、本実施例のスピーカ装置１は、第１のダクト８に蓋部１５を装着しない状態でローラ１２を回転させ、第１のダクト８を上下にスライドさせて第１のダクト８の上端から第３のダクト１０の前端までの長さを変化させることによって、スピーカ装置１が放射する音波の周波数特性を自在に変化させることができる。
【００３８】
また、本実施例のスピーカ装置１は、第１のダクト８へ蓋部１５を装着した状態でローラ１２を回転させ、第１のダクト８を上下にスライドさせることによって、スピーカボックス３で反射した音波をスピーカボックス３の外部に放射させないようにした状態でスピーカボックス３の内部の容量を変化させることができる。これにより、例えば、スピーカ装置から放射する音楽を低域の周波数帯域が減少された周波数特性に変化させたいと希望し、スピーカボックス３で反射した音波をスピーカボックス３の外部に放射させない状態とし、更に放射する音楽の低域の周波数帯域を減少させたいと希望した場合でも、第１のダクト８を上下にスライドさせることによって、スピーカ装置から放射される音楽の低域の周波数帯域を減少させることができる。
【００３９】
このように、本実施例のスピーカ装置１は、蓋部１５を第１のダクト８へ装着した状態でローラ１２を回転させ、第１のダクト８の位置を調節したり、また、蓋部１５を第１のダクト８から取り外した状態で第１のダクト８の位置を調節することにより、スピーカ装置１が放射する音波の周波数特性を聴取者の好みの周波数特性に簡単に変化させることができる。
【図面の簡単な説明】
【００４０】
【図１】本発明のスピーカ装置の構成を示す斜視図。
【図２】本実施例のスピーカ装置１を示す断面図。
【図３】第１のダクト８の上端が孔３０３の位置と略同一となるように第１のダクト８をスライドした状態でスピーカ装置１が音波を放射している状態を示す断面図。
【図４】図３の状態から更に第１のダクト８を上方へスライドさせた状態でスピーカ装置１が音波を放射している状態を示す断面図。
【図５】第１のダクト８の上端に蓋部１５を装着した状態を示す断面図。
【図６】図５に示す状態からローラ１２により第１のダクト８を上方へスライドさせ、第１のダクト８に装着した蓋部１５と孔３０３が略同一の位置となるようにした状態でスピーカ装置１が音波を放射している状態を示す断面図。
【図７】図６に示す状態から更に第１のダクト８を上方へスライドさせた状態でスピーカ装置１が音波を放射している状態を示す断面図。
【図８】従来のスピーカ装置の一例を示す斜視図。
【図９】従来のスピーカ装置１００を示す断面図。
【符号の説明】
【００４１】
１  スピーカ装置、２  スピーカユニット、３  スピーカボックス、３０１  孔、
３０３  孔、６  入力端子、７  導電ケーブル、
８  第１のダクト、９  第２のダクト、９０１  孔、１０  第３のダクト、
１１  スライド部、１２  ローラ、１２１  軸、１３  保持部、１３１  軸受け、
１５  蓋部、２０  スタンド部、２０１  孔、２０２  底面部、２０３  腕部、
１００  スピーカ装置、３００  スピーカボックス、３０２  孔、４  ダクト
【図１】
2006013772.tif 000003
【図２】
2006013772.tif 000004
【図３】
2006013772.tif 000005
【図４】
2006013772.tif 000006
【図５】
2006013772.tif 000007
【図６】
2006013772.tif 000008
【図７】
2006013772.tif 000009
【図８】
2006013772.tif 000010
【図９】
2006013772.tif 000011